【手続補正書】
【提出日】令和1年7月10日(2019.7.10)
【手続補正１】
【補正対象書類名】明細書
【補正対象項目名】０１６５
【補正方法】変更
【補正の内容】
【０１６５】
別段定義されない限り、本開示において使用される全ての技術用語および科学用語は、請求される主題が属する当業者により通常理解されるのと同じ意味を有する。本開示において使用される専門用語は、ただ特定の実施形態を説明するためであり、制限することを意図しない。本開示および添付の請求の範囲において使用される通り、単数形「a」、「an」、および「the」は、文脈が別段明確に示さない限り、同様に複数形を含むことが意図される。
以下、本発明の好ましい実施形態を項分け記載する。
実施形態１
一般式（Ｉ）：
【化５０】
2019515108.tif 000001
（式中：
Ｒ１、Ｒ２、およびＲ３は、Ｃ１〜Ｃ３０飽和脂肪族基からそれぞれ独立して選択され、
Ｒ４は、１つもしくは複数のＣ１〜Ｃ６直鎖脂肪族基、Ｃ１〜Ｃ６分岐脂肪族基、またはその組み合わせで場合により置換されている、２価のＣ４〜Ｃ７直鎖脂肪族基および２価のＣ４〜Ｃ７直鎖へテロ脂肪族基から選択され、ここで、前記２価のＣ４〜Ｃ７直鎖へテロ脂肪族基は、Ｏ、Ｎ、およびＳから独立して選択される１または２個のヘテロ原子を含み、
Ｒ５、Ｒ６、およびＲ７は、メチルまたは水素からそれぞれ独立して選択され、
ｘは、０〜０．８から選択されるモル分率範囲であり、
ｙは、０〜０．８から選択されるモル分率範囲であり、ここで、ｙが、モル分率０であるとき、ｘは、０より大きいモル分率であり、ｘが、モル分率０であるとき、ｙは、０より大きいモル分率であり、
ｚは、０．１〜０．９から選択されるモル分率範囲であり、ｘ、ｙ、およびｚの和は、１と等しい）
を有するコポリマー。
実施形態２
Ｒ１、Ｒ２、およびＲ３が、Ｃ１〜Ｃ８飽和脂肪族基からそれぞれ独立して選択され、
Ｒ４が、２価のＣ４〜Ｃ７直鎖脂肪族基から選択され、
ｘが、０〜０．５から選択されるモル分率範囲であり、
ｙが、０〜０．５から選択されるモル分率範囲であり、
ｚが、０．２〜０．７５から選択されるモル分率範囲である、実施形態１に記載のコポリマー。
実施形態３
Ｒ１、Ｒ２、およびＲ３が、メチル、エチル、ｎ−プロピル、イソプロピル、ｎ−ブチル、ｓｅｃ−ブチル、イソブチル、ｔｅｒｔ−ブチル、ｎ−ペンチル、ｓｅｃ−ペンチル、イソペンチル、ｔｅｒｔ−ペンチル、ｎ−ヘキシル、およびｓｅｃ−ヘキシルからそれぞれ独立して選択され、
Ｒ４が、２価のＣ４〜Ｃ６直鎖脂肪族基から選択され、
ｘが、０〜０．２から選択されるモル分率範囲であり、
ｙが、０〜０．５から選択されるモル分率範囲であり、
ｚが、０．２〜０．７５から選択されるモル分率範囲である、実施形態１または実施形態２に記載のコポリマー。
実施形態４
【化５１】
2019515108.tif 000002
が、
【化５２】
2019515108.tif 000003
から選択される、実施形態１〜３のいずれかに記載のコポリマー。
実施形態５
Ｒ１がメチルであり、
Ｒ２がメチルであり、
Ｒ３がイソプロピルであり、
ｘが、０．５〜０．７５から選択されるモル分率範囲であり、
ｙが、０．１〜０．２５から選択されるモル分率範囲であり、
ｚが、０．１〜０．２５から選択されるモル分率範囲である、実施形態１に記載のコポリマー。
実施形態６
ｘが、０より大きいモル分率であり、
ｙが、０より大きいモル分率であり、
ｙおよびｚが、等モル分率である、実施形態１〜５のいずれかに記載のコポリマー。
実施形態７
ｙが、モル分率０であり、
ｘが、０．５〜０．７５から選択されるモル分率範囲であり、
ｚが、０．２５〜０．５から選択されるモル分率範囲である、実施形態１に記載のコポリマー。
実施形態８
ｙが、モル分率０であり、
ｘおよびｚが、等モル分率である、実施形態１または実施形態２に記載のコポリマー。
実施形態９
ｘが、モル分率０であり、
ｙが、０．５〜０．７５から選択されるモル分率範囲であり、
ｚが、０．２５〜０．５から選択されるモル分率範囲である、実施形態１または実施形態３に記載のコポリマー。
実施形態１０
ｘが、モル分率０であり、
ｙおよびｚが、等モル分率である、実施形態１〜３のいずれかに記載のコポリマー。
実施形態１１
前記コポリマーの粘度平均分子量が、１，０００ｇ／ｍｏｌ〜１，０００，０００ｇ／ｍｏｌの範囲内である、実施形態１〜１０のいずれかに記載のコポリマー。
実施形態１２
前記コポリマーの粘度平均分子量が、１，５００ｇ／ｍｏｌ〜２０，０００ｇ／ｍｏｌの範囲内である、実施形態１〜１１のいずれかに記載のコポリマー。
実施形態１３
クラスレート水和物を形成する能力がある流体において前記クラスレート水和物の形成を阻害する方法であって、前記方法は、
前記流体を、前記クラスレート水和物を形成するのに適した条件下で、一般式（Ｉ）：
【化５３】
2019515108.tif 000004
（式中：
Ｒ１、Ｒ２、およびＲ３は、Ｃ１〜Ｃ３０飽和脂肪族基からそれぞれ独立して選択され、
Ｒ４は、１つもしくは複数のＣ１〜Ｃ６直鎖脂肪族基、Ｃ１〜Ｃ６分岐脂肪族基、またはその組み合わせで場合により置換されている、２価のＣ４〜Ｃ７直鎖脂肪族基および２価のＣ４〜Ｃ７直鎖へテロ脂肪族基から選択され、ここで、前記２価のＣ４〜Ｃ７直鎖へテロ脂肪族基は、Ｏ、Ｎ、およびＳから独立して選択される１または２個のヘテロ原子を含み、
Ｒ５、Ｒ６、およびＲ７は、メチルまたは水素からそれぞれ独立して選択され、
ｘは、０〜０．８から選択されるモル分率範囲であり、
ｙは、０〜０．８から選択されるモル分率範囲であり、ここで、ｙが、モル分率０であるとき、ｘは、０より大きいモル分率であり、ｘが、モル分率０であるとき、ｙは、０より大きいモル分率であり、
ｚは、０．１〜０．９から選択されるモル分率範囲であり、ｘ、ｙ、およびｚの和は、１と等しい）
の少なくとも１つのコポリマーと接触させることを含む、方法。
実施形態１４
前記流体が、メタン、エタン、プロパン、ブタン、ペンタン、二酸化炭素、硫化水素、窒素、またはその組み合わせから選択される水ホスト分子および天然ガスゲスト分子を含む、実施形態１３に記載の方法。
実施形態１５
前記流体が、酸性ガスゲスト分子を含む、実施形態１３または実施形態１４に記載の方法。
実施形態１６
前記流体が、二酸化炭素、硫化水素、窒素、またはその組み合わせから選択される天然ガスゲスト分子を含む、実施形態１３〜１５のいずれかに記載の方法。
実施形態１７
前記流体が、メタン、エタン、プロパン、ブタン、二酸化炭素、硫化水素、および窒素ガスゲスト分子を含む、実施形態１３〜１６のいずれかに記載の方法。
実施形態１８
前記流体が、ＳＩクラスレート水和物、ＳＩＩクラスレート水和物、またはその組み合わせを形成する能力があり、
前記接触させることが、前記ＳＩクラスレート水和物、前記ＳＩＩクラスレート水和物、または前記その組み合わせの形成を阻害するのに有効である、実施形態１３〜１７のいずれかに記載の方法。
実施形態１９
前記接触させることが、０℃〜４．０℃の第１の過冷却温度にて前記クラスレート水和物の形成を阻害するのに有効である、実施形態１３〜１８のいずれかに記載の方法。
実施形態２０
前記接触させることが、４．０℃〜１０．０℃の第２の過冷却温度にて前記クラスレート水和物の形成を阻害するのに有効である、実施形態１３〜１９のいずれかに記載の方法。
実施形態２１
前記接触させることが、４０ｂａｒ〜２００ｂａｒの圧力範囲において前記クラスレート水和物の形成を阻害するのに有効である、実施形態１３〜２０のいずれかに記載の方法。
実施形態２２
前記接触させることが、７０ｂａｒ〜１００ｂａｒの圧力範囲において前記クラスレート水和物の形成を阻害するのに有効である、実施形態１３〜２１のいずれかに記載の方法。
実施形態２３
前記流体が、式（Ｉ）の前記少なくとも１つのコポリマーおよび腐食阻害剤または溶媒の少なくとも１つを含む組成物と接触される、実施形態１３〜２２のいずれかに記載の方法。
実施形態２４
Ｒ１、Ｒ２、およびＲ３が、Ｃ１〜Ｃ８飽和脂肪族基からそれぞれ独立して選択され、
Ｒ４が、２価のＣ４〜Ｃ７直鎖脂肪族基から選択され、
ｘは、０〜０．５から選択されるモル分率範囲であり、
ｙが、０〜０．５から選択されるモル分率範囲であり、
ｚが、０．２〜０．７５から選択されるモル分率範囲である、実施形態１３〜２３のいずれかに記載の方法。
実施形態２５
Ｒ１、Ｒ２、およびＲ３が、Ｃ１〜Ｃ８飽和脂肪族基からそれぞれ独立して選択され、
Ｒ４が、２価のＣ４〜Ｃ７直鎖脂肪族基から選択され、
ｘが、０より大きいモル分率であり、
ｙが、０より大きいモル分率であり、
ｙおよびｚが、等モル分率である、実施形態１３〜２３のいずれかに記載の方法。
実施形態２６
【化５４】
2019515108.tif 000005
が、
【化５５】
2019515108.tif 000006
から選択され、
ｘが、０．５〜０．７５から選択されるモル分率範囲であり、
ｙが、０．１〜０．２５から選択されるモル分率範囲であり、
ｚが、０．１〜０．２５から選択されるモル分率範囲である、実施形態１３〜２３のいずれかに記載の方法。
実施形態２７
ｙが、モル分率０であり、
ｘが、０．５〜０．７５から選択されるモル分率範囲であり、
ｚが、０．２５〜０．５から選択されるモル分率範囲である、実施形態１３〜２３のいずれかに記載の方法。
実施形態２８
ｙが、モル分率０であり、
ｘおよびｚが、等モル分率である、実施形態１３〜２３のいずれかに記載の方法。
実施形態２９
ｘが、モル分率０であり、
ｙが、０．５〜０．７５から選択されるモル分率範囲であり、
ｚが、０．２５〜０．５から選択されるモル分率範囲である、実施形態１３〜２３のいずれかに記載の方法。
実施形態３０
ｘが、モル分率０であり、
ｙおよびｚが、等モル分率である、実施形態１３〜２３のいずれかに記載の方法。
実施形態３１
前記少なくとも１つのコポリマーの粘度平均分子量が、１，５００ｇ／ｍｏｌ〜２０，０００ｇ／ｍｏｌの範囲内である、実施形態１３〜３０のいずれかに記載の方法。
実施形態３２
前記流体が、結合したプラットフォームにて前記少なくとも１つのコポリマーと接触される、実施形態１３〜３１のいずれかに記載の方法。
実施形態３３
前記流体が、パイプライン内を流れる、実施形態１３〜３２のいずれかに記載の方法。
【手続補正２】
【補正対象書類名】特許請求の範囲
【補正対象項目名】全文
【補正方法】変更
【補正の内容】
【特許請求の範囲】
【請求項１】
一般式（Ｉ）：
【化１】
2019515108.tif 000007
（式中：
Ｒ１、Ｒ２、およびＲ３は、Ｃ１〜Ｃ８飽和脂肪族基からそれぞれ独立して選択され、
Ｒ４は、１つもしくは複数のＣ１〜Ｃ６直鎖脂肪族基、Ｃ１〜Ｃ６分岐脂肪族基、またはその組み合わせで場合により置換されている、２価のＣ４〜Ｃ７直鎖脂肪族基または２価のＣ４〜Ｃ７直鎖へテロ脂肪族基から選択され、ここで、前記２価のＣ４〜Ｃ７直鎖へテロ脂肪族基は、Ｏ、Ｎ、もしくはＳから独立して選択される１または２個のヘテロ原子を含み、
Ｒ５、Ｒ６、およびＲ７は、メチルまたは水素からそれぞれ独立して選択され、
ｘは、０より大きく０．８までから選択されるモル分率範囲であり、
ｙは、０より大きく０．８までから選択されるモル分率範囲であり、
ｚは、０．１〜０．９から選択されるモル分率範囲であり、ここで、ｘ、ｙ、およびｚの和は、１と等しい）
を有し、ランダムである、ターポリマー。
【請求項２】
Ｒ４が、２価のＣ４〜Ｃ７直鎖脂肪族基から選択され、
ｘが、０より大きく０．５までから選択されるモル分率範囲であり、
ｙが、０より大きく０．５までから選択されるモル分率範囲であり、
ｚが、０．２〜０．７５から選択されるモル分率範囲である、請求項１に記載のターポリマー。
【請求項３】
Ｒ１、Ｒ２、およびＲ３が、メチル、エチル、ｎ−プロピル、イソプロピル、ｎ−ブチル、ｓｅｃ−ブチル、イソブチル、ｔｅｒｔ−ブチル、ｎ−ペンチル、ｓｅｃ−ペンチル、イソペンチル、ｔｅｒｔ−ペンチル、ｎ−ヘキシル、またはｓｅｃ−ヘキシルからそれぞれ独立して選択され、
Ｒ４が、２価のＣ４〜Ｃ６直鎖脂肪族基から選択され、
ｘが、０より大きく０．２までから選択されるモル分率範囲であり、
ｙが、０より大きく０．５までから選択されるモル分率範囲であり、
ｚが、０．２〜０．７５から選択されるモル分率範囲である、請求項１に記載のターポリマー。
【請求項４】
【化２】
2019515108.tif 000008
が、
【化３】
2019515108.tif 000009
から選択される、請求項１に記載のターポリマー。
【請求項５】
Ｒ１がメチルであり、
Ｒ２がメチルであり、
Ｒ３がイソプロピルであり、
ｘが、０．５〜０．７５から選択されるモル分率範囲であり、
ｙが、０．１〜０．２５から選択されるモル分率範囲であり、
ｚが、０．１〜０．２５から選択されるモル分率範囲である、請求項１に記載のターポリマー。
【請求項６】
ｘが、０．５〜０．７５から選択されるモル分率範囲であり、
ｚが、０．２５〜０．５から選択されるモル分率範囲である、請求項１に記載のターポリマー。
【請求項７】
前記ターポリマーの粘度平均分子量が、１，０００ｇ／ｍｏｌ〜１，０００，０００ｇ／ｍｏｌの範囲内である、請求項１に記載のターポリマー。
【請求項８】
クラスレート水和物を形成する能力がある流体において前記クラスレート水和物の形成を阻害する方法であって、前記方法は、
前記流体を、前記クラスレート水和物を形成するのに適した条件下で、一般式（Ｉ）：
【化４】
2019515108.tif 000010
（式中：
Ｒ１、Ｒ２、およびＲ３は、Ｃ１〜Ｃ８飽和脂肪族基からそれぞれ独立して選択され、
Ｒ４は、１つもしくは複数のＣ１〜Ｃ６直鎖脂肪族基、Ｃ１〜Ｃ６分岐脂肪族基、またはその組み合わせで場合により置換されている、２価のＣ４〜Ｃ７直鎖脂肪族基または２価のＣ４〜Ｃ７直鎖へテロ脂肪族基から選択され、ここで、前記２価のＣ４〜Ｃ７直鎖へテロ脂肪族基は、Ｏ、Ｎ、もしくはＳから独立して選択される１または２個のヘテロ原子を含み、
Ｒ５、Ｒ６、およびＲ７は、メチルまたは水素からそれぞれ独立して選択され、
ｘが、０より大きく０．８までから選択されるモル分率範囲であり、
ｙは、０より大きく０．８までから選択されるモル分率範囲であり、
ｚは、０．１〜０．９から選択されるモル分率範囲であり、ここで、ｘ、ｙ、およびｚの和は、１と等しい）
の、ランダムである、少なくとも１つのターポリマーと接触させることを含む、方法。
【請求項９】
前記流体が、メタン、エタン、プロパン、ブタン、ペンタン、二酸化炭素、硫化水素、窒素、またはその組み合わせから選択される水ホスト分子および天然ガスゲスト分子を含む、請求項８に記載の方法。
【請求項１０】
前記流体が、酸性ガスゲスト分子を含む、請求項８に記載の方法。
【請求項１１】
前記クラスレート水和物が、ＳＩクラスレート水和物、ＳＩＩクラスレート水和物、またはその組み合わせを含み、
前記接触させることが、前記ＳＩクラスレート水和物、前記ＳＩＩクラスレート水和物、または前記その組み合わせの形成を阻害する、請求項８に記載の方法。
【請求項１２】
前記接触させることが、０℃〜４．０℃の第１の過冷却温度にて前記クラスレート水和物の形成を阻害する、請求項８に記載の方法。
【請求項１３】
前記接触させることが、４０ｂａｒ〜２００ｂａｒの圧力範囲において前記クラスレート水和物の形成を阻害する、請求項８に記載の方法。
【請求項１４】
前記流体が、式（Ｉ）の前記少なくとも１つのターポリマーおよび腐食阻害剤または溶媒の少なくとも１つを含む組成物と接触される、請求項８に記載の方法。
【請求項１５】
Ｒ４が、２価のＣ４〜Ｃ７直鎖脂肪族基から選択され、
ｘが、０より大きく０．５までから選択されるモル分率範囲であり、
ｙが、０より大きく０．５までから選択されるモル分率範囲であり、
ｚが、０．２〜０．７５から選択されるモル分率範囲である、請求項８に記載の方法。
【請求項１６】
Ｒ４が、２価のＣ４〜Ｃ７直鎖脂肪族基から選択される、請求項８に記載の方法。
【請求項１７】
【化５】
2019515108.tif 000011
が、
【化６】
2019515108.tif 000012
から選択され、
ｘが、０．５〜０．７５から選択されるモル分率範囲であり、
ｙが、０．１〜０．２５から選択されるモル分率範囲であり、
ｚが、０．１〜０．２５から選択されるモル分率範囲である、請求項８に記載の方法。
【請求項１８】
前記少なくとも１つのターポリマーの粘度平均分子量が、１，５００ｇ／ｍｏｌ〜２０，０００ｇ／ｍｏｌの範囲内である、請求項８に記載の方法。
【請求項１９】
前記流体が、結合したプラットフォームにて前記少なくとも１つのターポリマーと接触される、請求項８に記載の方法。